Podtech/llm-jp-corpus-v4-ja_patent huggingface dataset:
(57)【要約】      （修正有）【課題】地中熱交換器の埋設費用を低減することができるパイプ埋設装置を提供する。【解決手段】地中熱交換器に用いるケーシングパイプ１を埋設する際に、ケーシングパイプ１の下端に取り付けたコーン２をロッド３を介して打撃し，併せてそのケーシングパイプ１の上部に錘５を載せる。【選択図】図１
0003202940.tif 000002
【実用新案登録請求の範囲】
【請求項１】
地中熱を利用する為の採熱管を挿入するケーシングパイプを地中に埋設する場合に、埋設するケーシングパイプの下端に円錐状のコーンを取り付け、そのコーンをケーシングパイプの中に挿入したロッドを介して打ち込む事を特徴としたパイプ埋設装置。
【考案の詳細な説明】
【技術分野】
【０００１】  本考案は地中熱エネルギーを利用する際に用いる地中熱交換器と、その埋設装置に関するものである。
【背景技術】
【０００２】  冬期間の融雪や夏冬の冷暖房の熱源として、自然エネルギーの一つである地中熱を活用する事が、最近の地球環境保全やエネルギー問題を背景にして徐々に普及しつつある。地中熱を利用する為に、地中に埋設した熱交換器で熱媒を介して地中のエネルギーを取り出し、融雪や冷暖房の熱源として利用することが一般に行われている。
【考案が解決しようとする課題】
【０００３】  昨今地中熱の利用は公共施設などを中心に徐々に広まって来ているものの、その進展は遅々として進まない。その普及を妨げている最大の要因は初期の設備設置費用が高価で、その設備設置費に見合う効果が期待出来ない事に起因している。特に設備費用の中でも地中に埋設する地中熱交換器の設置費のウエートが高く、この埋設費をいかに低価格で提供するかが課題となっている。
【課題を解決する為の手段】
【０００４】  本考案は前述の課題を解決する手段として地中の比較的浅い層を対象とし、その地中の持つエネルギーを利用する地中熱交換器を埋設する為に、その地中熱交換器にケーシングパイプを使用し、そのケーシングパイプを地中に打設で埋設する事と、その打設の際にケーシングパイプの下端に円錐状のコーンを取り付け、そのコーンにケーシングパイプの中に挿入したロッドを介して打ち込みの打撃力を伝える事を特徴としている。
【０００５】  更に前述の方法で打設するケーシングパイプの上端に錘を載せる事によってより効果的にケーシングパイプを打ち込む事を第二の特徴としている。
【考案の効果】
【０００６】  ケーシングパイプを打設する時に、そのケーシングパイプの下端に取り付けたコーンをケーシングパイプを介さずに打撃する為に、ケーシングパイプに加わる力は引っ張りの応力となり、パイプの上部を打撃する工法で発生するパイプの挫屈の問題が解消する。
【０００７】  更に打設するケーシングパイプの上部に錘を載せ、その錘でケーシングパイプに圧縮の力を与える事で、上記の引っ張り応力を相殺する事となり、打設時のケーシングパイプに加わる力を減少させる事ができる。
【０００８】  上記の効果として打撃時に加わるケーシングパイプの応力を減少でき、且つ引っ張りの応力にできる為、従来は困難と思われた安価な薄肉の鋼管や、更に安価な塩ビ管を打ち込みで打設することが可能となり、ケーシングパイプ埋設費を大幅に減少させる事ができる。
【図面の簡単な説明】
【０００９】
【図１】図１は本考案の目的である地中熱交換器に用いるケーシングパイプを埋設する装置を示す概略図である。
【図２】図２は本考案によって埋設されたケーシングパイプに採熱管を挿入した地中熱交換器の一例である。
【考案を実施する為の形態】
【００１０】  以下本考案の実施の形態について図を用いて説明する。図１は本考案によって地中熱を利用する時に用いるケーシングパイプを埋設する装置の一例である。埋設するケーシングパイプ１の下端に円錐状のコーン２を取り付け、そのコーン２打撃する為にケーシングパイプ１の中にロッド３を挿入する。ケーシングパイプ１の上端に錘台４を設けて錘５を載せる。錘５は任意の荷重を選定できる様に分割されている。ロッド３は錘台４の上端より少し長くして置く。この状態でロッド３の上部にそのロッド３を打撃する為に設けられた打撃装置６で、ロッド３を打撃する事によってケーシンパイプ１が地中に埋設されていく。図１ではその打撃装置６の一例としてモンケン方式のイメージ図を示している。打撃装置６は必要に応じて油油圧シリンダーやエアーシリンダーを使用した装置、又バイブロハンマー等の装置も有用である。又同様に錘の代わりに油圧シリンダー等の使用も可能である。
【００１１】  図２は本考案によって埋設されたケーシングパイプを使用した地中熱交換器の一例である。図は本考案によって地中に埋設された、下端にコーン２が取り付けられたケーシングパイプ１の中に採熱管であるＵチューブを挿入し、ケーシングパイプ１と前述の採熱管との空間に、熱伝達の為の熱媒を充填した地中熱交換器である。熱媒には熱伝導の良い珪砂等が一般に使用されているが、本考案ではコストの最も安い水を採用することも可能である。また図２では採熱管にＵチューブを使用しているがケーシングパイプの中にパイプを挿入しそれを内管とし、前述のケーシングパイプを外管とした地中熱交換器の採熱の一つの形態である同軸二重管方式として利用する事も可能である。
【産業上の利用可能性】
【００１２】  本考案は地中熱を取り出し、又は地上のエネルギーを地中に蓄熱して、そのエネルギーを冬期間の融雪や夏冬の冷暖房の熱源に利用する場合等に利用される。
【符号の説明】１  ケーシングパイプ
２  コーン
３  ロッド
４  錘台
５  錘
６  打撃装置
【図１】
0003202940.tif 000003
【図２】
0003202940.tif 000004
(57)【要約】      （修正有）【課題】ジュース・牛乳パックの飲み口を直接手で触ることなく、指の力が弱い人でも開口できる紙パック飲み口紐をつけたジュース・牛乳パックを提供する。【解決手段】紙パックの飲み口開口部に輪状の紐をつけ  開口の時にこの輪状の中に親指を入れ、引っ張ると飲み口が開くことを特徴とする。【選択図】図４
0003202934.tif 000002
【実用新案登録請求の範囲】
【請求項１】
ジュース・牛乳等の紙パックの開口部にひもを設けひもを引っ張ると  紙パックの飲み口が開くように設けた  紙パック飲み口紐。
【考案の詳細な説明】
【技術分野】
【０００１】この実用新案は輪状の紐を利用して、紙パックの飲み口を開ける  紙パック飲み口紐に関するものである。
【背景技術】
【０００２】  ジュース・牛乳等の紙パックは飲み口を直接手で触るので、衛生的に悪く接着剤が強いので開けにくくなっていた。
【実用新案の開示】
【実用新案が解決しようとする課題】
【０００３】  これには次のような欠点があった。
（イ）飲み口を直接  指で触るので衛生的によくない。
（ロ）子供・老人等の指の力が弱い  又は不自由な人は開口しずらい。
（ハ）美観が悪い。
本、実用新案は以上のような欠点をなくすためになされたものである。
【課題を解決するための手段】
【０００４】  問題である紙パックの飲み口を指で触る事、  飲み口を直接触ることなく飲み口を開ける又、指に力がなくても開ける。そのために紙パックの開口部（接着剤止め）に輪状の紐を入れておき、開口の時にこの輪状の紐を引っ張ると飲み口が開く。
本、実用新案は以上の構成よりなる  紙パック飲み口紐である。
【実用新案の効果】
【０００５】（イ）飲み口に直接指が触れないので衛生的である。
（ロ）子供・老人等の指の力が弱い  又は不自由な人でも紐を引っ張ると飲み口が開く。
（ハ）美観が改善される。
【実用新案を実施するための最良の形態】
【０００６】  以下、本  実用新案を実施するための最良の形態について説明する。
紙パックの上部にある開口部の接着剤部にあらかじめ  輪状の紐を入れておき、開口の時に外に出ている輪の中に指を入れ、引っ張ると飲み口が少しずつ開き、従来の形になる。
本、実用新案は以上のような構造である。
【図面の簡単な説明】
【０００７】
【図１】  本  実用新案の正面図  である。
【図２】  本  実用新案の左側面図  である。
【図３】  本  実用新案の平面図  である。
【図４】  本  実用新案の参考手順図  である。
【符号の説明】
【０００８】１紙パック飲み口紐
２紙パック
【図１】
0003202934.tif 000003
【図２】
0003202934.tif 000004
【図３】
0003202934.tif 000005
【図４】
0003202934.tif 000006
(57)【要約】【課題】  本考案は、危険で且つ重労働である屋根の雪降ろし作業を、滑雪用シートを建物の屋根に敷設する事に依り、人力に頼ることなく雪の自重を利用して自動で滑り落ちる事を可能にした自動滑雪設備である。【解決手段】  本考案は、屋根の少なくとも４辺に上方に開放されたＣ型形状のパイプ４を取り付け、その上側よりＣ型形状のパイプ４で囲んだ面積より若干大きな面積の滑雪シート２を被せ、その上から波型の形状をしたシート押さえ用付勢部材１にて、滑雪シート２をＣ型形状のパイプ４の溝の中に挟み込み、滑雪シート２を屋根の表面に張り付ける事に依り、積雪した雪を自重により地上に落下せしめる事が可能となる。【選択図】図１
0003202943.tif 000002
【実用新案登録請求の範囲】
【請求項１】
建物の屋根の少なくとも外周４辺に、上方に開放し断面がＣ型形状をしたパイプを敷設し、そのパイプの上側より、パイプで囲まれた面積より若干大きめの面積の滑雪シートを覆い、且つパイプのＣ型形状をした溝部に、波形状の加工を施した付勢部材をシートの上より挟み込み、シートの少なくとも４辺を固定出来る事を特徴とする滑雪装置。
【請求項２】
前記Ｃ型形状のパイプは、屋根の少なくとも４辺に固定部材にて固定される事を特徴とする、請求項１に記載される滑雪装置。
【考案の詳細な説明】
【技術分野】
【０００１】  本考案は降雪した屋根の雪を、敷設した滑雪シートを利用し、且つ重力を利用して、雪の自重にて自然に地上に落下させる滑雪装置である。
【背景技術】
【０００２】  積雪の多いい地域では屋根に積もった雪を人力で下すか、電気、水道等他のコストの掛かる融雪・滑雪設備を用いて対処していた。
【先行技術文献】
【特許文献】
【０００３】
【特許文献１】実開昭６２−１９００６１
【特許文献２】特開２００７−２１７９８３
【０００４】
【考案の概要】
【考案が解決しようとする課題】
【０００５】  人力による雪下ろし作業は、重労働で且つ危険作業であり特に高齢者にとっては、死活問題となっている。この問題を解決する為に、安価で取り付け作業の簡単な設備を提供し、屋根に積もった雪を自重に依って滑らせて、問題点を解決しようとするものである。
【課題を解決するための手段】
【０００６】  積雪した雪が滑り落ちるのに適した勾配を持った、建物の屋根の少なくとも４辺に、上方に開放し断面がＣ型形状をしたパイプを敷設し、そのパイプの上側より、パイプで囲まれた面積より少し大きめの滑雪シートを屋根全体に覆い、且つパイプのＣ型形状をした溝部に、波形の形状をした付勢部材を、滑雪シートの上より挟み込み、滑雪シートの４辺を固定する事により、そのシートの上に積もった雪は、有る一定の重量になると自動的に重力により地上に滑り落ち、前述の課題を解決している。又Ｃ型形状をしたパイプは屋根の少なくとも４辺より屋根の各辺の建物構造部材に締結された固定部材にて、必要カ所固定される構造となっている。更にシートの面積は、屋根の面積より若干小さく設定されている。
【考案の効果】
【０００７】  本考案の設備に於ける滑雪シートの屋根への固定方法が、屋根の固定部材に取り付けられたＣ型形状のパイプと、波型の形状をした付勢部材を利用した構造で有る為、シートに特別な加工を施す必要もなく、材料費も安価で、設置時間も短時間で済む。又Ｃ型形状のパイプ及びその固定部材は、シーズン毎に取り外す必要が無く、次のシーズンからはシートの張り替え作業のみの経費で済み、大変経済的である。更には滑雪シートの面積が、屋根の面積より少し小さく敷設出来る為、雨降りの場合に屋根に落ちた雨は雨とよに流れ、地上に飛散する事が無い。
【図面の簡単な説明】
【０００８】
【図１】本考案の滑雪シートの実施例を示す屋根の全体図である。
【図２】本考案の滑雪シート取り付け部の屋根棟部に於ける断面図である。
【図３】本考案の滑雪シート取り付け部の屋根側面部に於ける断面図である。
【図４】本考案の滑雪シート取り付け部の屋根下部に於ける断面図である。
【考案を実施するための形態】
【０００９】  屋根棟部のＣ型形状のパイプは、屋根最上部の棟瓦に固定された複数個の固定部材に依って固定され、屋根の両側面部のＣ型形状のパイプは、破風と両端の瓦に固定された固定部材に依って固定され、屋根の下側（軒先）のＣ型形状のパイプは下側の瓦と固定部材に依って固定され、最終的には屋根の外周少なくとも４辺にＣ型形状のパイプが敷設される。その敷設されたＣ型形状のパイプより若干大きな面積の滑雪シートをＣ型形状のパイプの上側より被せ、その上から波型の形状をした付勢部材を使用して、滑雪シートをＣ型形状のパイプの溝の中に挟み込む事に依り、屋根全体に滑雪シートを装着する事が出来る。
【実施例】
【００１０】  以下、添付図面に依って、実施例を説明する。図１は全体の実施例を図解したもので、滑雪シート２をシート固定用付勢部材１にて、屋根の少なくとも４隅に設置されたＣ型形状のパイプ４の上から挟み込み、シート全体をＣ型形状のパイプに固定する。屋根の上部のＣ型形状のパイプは棟部固定部材３により固定され、両側のＣ型形状のパイプは、側部固定部材５により固定され、下部のＣ型形状のパイプは軒先部固定部材６により固定さている。【００１１】  図２は屋根の上部のＣ型形状のパイプ４を棟部固定部材３により固定する場合の詳細図である。棟瓦７への、棟部固定部材３の固定は、９のボルトを締め付ける事に依り行い、Ｃ型形状のパイプ４は、ビス１０にて、棟部固定部材３に固定されている。又滑雪シート２はシート押さえ用付勢部材１にて、Ｃ型形状のパイプ４の内側に挟み込まれて、滑雪シートが浮き上がらない構造となっている。【００１２】  図３は屋根の側部のＣ型形状のパイプ４を、側部固定部材１２により固定する場合の詳細図である。破風８に引っ掛けられた側部固定部材１２に、Ｃ型形状のパイプ４をビス１０により固定している。１１は瓦で２は滑雪シートを示す。【００１３】  図４は屋根の下部のＣ型形状のパイプ４を、軒先部固定部材６により固定する場合の詳細図である。瓦の雪留め部に引っ掛けられた軒先部固定部材６に、Ｃ型形状のパイプ４をビス１０により固定している。１１は瓦、２は滑雪シート、１はシート押さえ用付勢部材を示す。
【産業上の利用可能性】
【００１４】  特に積雪量の多い豪雪地帯に於いては、毎年の雪下ろしが重労働であり、且つ特に最近は高齢者の人口が多くなり、安全性の面に於いても、本案の様な、廉価で且つ自重による自動滑雪型の装置が必要とされている。
【符号の説明】
【００１５】１  シート押さえ用付勢部材
２  滑雪シート
３  棟部固定部材
４  Ｃ型形状パイプ
５  側部固定部材
６  軒先部固定部材
７  棟瓦
８  破風
９  棟部固定部材締め付けボルト
１０  Ｃ型形状パイプ取り付けビス
１１  瓦
１２  側面部固定部材
【図１】
0003202943.tif 000003
【図２】
0003202943.tif 000004
【図３】
0003202943.tif 000005
【図４】
0003202943.tif 000006
(57)【要約】      （修正有）【課題】トランシーバーの送信に使用し、１個のノブで押した時の送信と、ノブを一方向に移動した時の連続送信とを、１個のノブのみで出来る外部コントロール外部接続装置を提供する。【解決手段】ノブ２を押すかノブ２をスライドすることによりスイッチが入ってトランシーバーの送信に使用する外部コントロール外部接続装置であって、ノブ２を押した時にはノブ２下部の突起２ｂが送信用タクトスイッチ４を押して送信可能となり、ノブをスライドさせたときはノブ下部の突起２ｂがケース１に設けた突起部２ａに乗り上げることでノブ下部の突起２ｂが送信用タクトスイッチ４を押して送信可能となる。【選択図】図３
0003202908.tif 000002
【実用新案登録請求の範囲】
【請求項１】
トランシーバーの送信に使用する、外部コントロール外部接続装置で送信に使用する、１個のノブでスイッチ押した時に送信と一方向に移動した時に連続送信のする為、ケースの一部に突起を出し、ノブを載せることで連続送信の出来ることで、ハンズフリーで送信できる、トランシーバー外部コントロール接続装置。
【考案の詳細な説明】
【技術分野】
【０００１】
本考案はトランシーバーの送信に使用するトランシーバー外部コントロール外部接続装置に関する。
【背景技術】
【０００２】
トランシーバーの送信に使用するトランシーバー外部コントロール外部接続装置は知られている。
【考案の開示】
【考案が解決しようとする課題】
【０００３】
本考案はトランシーバーの送信に使用する、外部コントロール外部接続装置に使用するノブを、１個のノブで押した時の送信と一方向に移動した時に連続送信する、１個のノブのみで出来ることを解決しようとする課題とする。
【課題を解決するための手段】
【０００４】
本考案はトランシーバーの送信に使用する、外部コントロール外部接続装置で送信に使用する１個のノブでスイッチ押した時の送信と一方向に移の動した時に連続送信のする為、ケースの一部に突起を出しノブを載せることで連続送信の出来る事を課題とし解決するための手段とする。
【考案の効果】
【０００５】
本考案トランシーバーの送信に使用する、外部コントロール外部接続装置で送信に使用する１個ノブでスイッチ押した時の送信と一方向に移の動した時に連続送信のする為、ケースの一部に突起を出しノブを載せることで連続送信の出来る事で、ハンズフリーで送信できることで、考案の効果があった。
【考案を実施するための最良の形態】
【０００６】
上述のようにトランシーバーの送信に使用する、外部コントロール外部接続装置で送信に使用する１個のノブでスイッチ押した時の送信と一方向に移動した時に連続送信のする為、ケースの一部に突起を出しノブを載せることで連続送信の出来る事を、考案を実施するための最良の形態となる。
【実施例】
【０００７】
図面に従って、以下添付実施例を説明する、１は外部コントロール外部接続装置のケース、１aはケースの一部に突起で２のツマミを移動した時送信に必要とする突起、２はツマミは押した時に送信、下にスライドした時に連続送信となる、２aはノブのカット部分で送信しない状態、２ｂは4aのタクトスイッチのツマミを押す突起、３は送信時に使用するマイク、４はタクトスイッチで押された時に送信となる、4aのタクトスイッチのツマミを押す突起、５はトランシーバー。
【図面の簡単な説明】
【０００８】
【図１】トランシーバー外部コントロール受信中の外部接続装置一部断面正面図
【図２】トランシーバー外部コントロール連続送信中のノブが移動した外部接続装            置一部断面正面図
【図３】トランシーバー外部コントロール受信中の外部接続装置一部断面側面図
【図４】トランシーバー外部コントロール連続送信の中ノブが移動した外部接続装            置一部断面側面図
【図５】トランシーバーとトランシーバー外部コントロール外部接続装置正面図
【図６】トランシーバーとトランシーバー外部コントロール連続送信中ノブが移動し            た外部接続装置正面図
【符号の説明】
【０００９】
１    トランシーバー外部コントロール外部接続装置のケース
２    トランシーバー外部コントロール外部接続装置のノブ
３    送信時使用するマイク
４    送信用タクトスイッチ
５    トランシーバー
【図１】
0003202908.tif 000003
【図２】
0003202908.tif 000004
【図３】
0003202908.tif 000005
【図４】
0003202908.tif 000006
【図５】
0003202908.tif 000007
【図６】
0003202908.tif 000008
【手続補正書】
【提出日】平成27年12月1日(2015.12.1)
【手続補正１】
【補正対象書類名】実用新案登録請求の範囲
【補正対象項目名】全文
【補正方法】変更
【補正の内容】
【実用新案登録請求の範囲】
【請求項１】
ノブを押すかノブをスライドすることによりスイッチが入ってトランシーバーの送信に使用する外部コントロール外部接続装置であって、ノブを押した時にはノブ下部の突起（２ｂ）が送信用タクトスイッチ（４）を押して送信可能となり、ノブをスライドさせたときはノブ下部の突起（２ｂ）がケースに設けた突起部（２ａ）に乗り上げることでノブ下部の突起（２ｂ）が送信用タクトスイッチ（４）を押して送信可能となることを特徴とする外部コントロール外部接続装置。
(57)【要約】      （修正有）【課題】歯に附着した食物の残滓を容易に除去することが可能な歯ブラシ用の鍔付毛を提供する。【解決手段】歯ブラシの毛の側面に数ヶ所鍔を付けることにより、歯に附着した残滓を効率的に除去する。【選択図】図２
0003202920.tif 000002
【実用新案登録請求の範囲】
【考案の詳細な説明】
【技術分野】
【０００１】  本発明は、現在市販されている歯ブラシの毛の構造に不足している除去効率向上を主とした用品の開発に努めたものである。
この発明は、一本の歯ブラシの毛に数カ所均等に鍔をつけることにより、毛が歯に接地たとき、鍔の先端で歯に附着した食物の残滓を完全に除去することを求めた考案である。【０００２】  子供から高齢者が、容易に短時間で効率の良い歯ミガキが実施出来るよう改良した。
【図面の簡単な説明】
【０００３】
【図１】歯ブラシの全体図
【図２】鍔の着いた毛の断面図
【図３】鍔の切断面
【図４】毛の装着側面図
【図１】
0003202920.tif 000003
【図２】
0003202920.tif 000004
【図３】
0003202920.tif 000005
【図４】
0003202920.tif 000006
【手続補正書】
【提出日】平成27年12月8日(2015.12.8)
【手続補正１】
【補正対象書類名】実用新案登録請求の範囲
【補正対象項目名】全文
【補正方法】変更
【補正の内容】
【実用新案登録請求の範囲】
【請求項１】
ハブラシの毛の側面に数カ所鍔を付けることにより、歯に附着した残滓を効率的に除去することを特徴とした鍔付毛。
【手続補正２】
【補正対象書類名】明細書
【補正対象項目名】全文
【補正方法】変更
【補正の内容】
【考案の詳細な説明】
【技術分野】
【０００１】  本発明は、現在市販されている歯ブラシの毛の構造に不足している除去効率向上を主とした用品の開発に努めたものである。
この発明は、一本の歯ブラシの毛に数カ所均等に鍔をつけることにより、毛が歯に接地たとき、鍔の先端で歯に附着した食物の残滓を完全に除去することを求めた考案である。【０００２】  子供から高齢者が、容易に短時間で効率の良い歯ミガキが実施出来るよう改良した。
【図面の簡単な説明】
【０００３】
【図１】  歯ブラシの全体図
【図２】  鍔の着いた毛の断面図
【図３】  鍔の切断面
【図４】  鍔の装着側面図
【手続補正３】
【補正対象書類名】図面
【補正対象項目名】全図
【補正方法】変更
【補正の内容】
【図１】
0003202920.tif 000007
【図２】
0003202920.tif 000008
【図３】
0003202920.tif 000009
【図４】
0003202920.tif 000010
(57)【要約】      （修正有）【課題】冷蔵庫の野菜室をはじめとして冷蔵庫の収納部分の掃除を簡素にすることができる掃除用冷蔵庫内箱を提供する。【解決手段】冷蔵庫の野菜室や冷凍庫扉のドリンクポケットなどの冷蔵庫の収納部分の内側に張り巡らした掃除用冷蔵庫内箱であり、この内側に張り巡らした掃除用冷蔵庫内箱の素材は底の厚目のシリコン製であり取り外して洗って何度でも使える。【選択図】図２
0003202912.tif 000002
【実用新案登録請求の範囲】
【請求項１】
冷蔵庫の野菜室、冷凍庫、扉部分のドリンクポケットなどの内箱の部分に張り巡らす
【請求項２】
前記張り巡らす物の素材はシリコン製である
請求項１記載の冷蔵庫のボックス部分のそうじ用内幕の箱
【考案の詳細な説明】
【技術分野】
【０００１】本発明は冷蔵庫の野菜室及び冷凍庫、冷蔵庫の扉部分のポケット、ドリンク立ての掃除の簡素化になる物【０００２】近年冷蔵庫が大型化し野菜室、冷凍庫、冷蔵庫の扉の部分に有るポケットドリンク立ての掃除をする時大きい野菜室などのＢＯＸを取り外すのも大変でしかも取り外してからのシンクの中で洗うのもＢＯＸが大きく凄くやりにくく又、扉部分のポケットやドリンク立てを取り外すのが割れそうでやりにくいです  そこでシリコン製のそれぞれの製品にサイズの合ったＢＯＸ部分の内側を張り巡らすことにより、今までよりかなり掃除が楽になり  衛生上も  これにより  そうじの回数が  増え  かなり向上する物である
【考案の概要】
【考案が解決しようとする課題】冷蔵庫の野菜室、冷凍庫  冷蔵庫の扉部分のポケット及び  ボトル立ての部分の掃除が従来は大きいボックス部分を外して、なお  シンクの中で大きいＢＯＸを洗うのは大変です  扉の部分のポケット、ドリンク立て部分も大きくありませんが、取り外すのに割れそうで怖く結果掃除の回数が自然に減る感じになり衛生上も良くありません
【課題を解決する為の手段】
以上の課題を解決する為に  それぞれの型のＢＯＸの内側にシリコン製の箱を張り巡らせ掃除の時は冷蔵庫の本体のＢＯＸはそのまま、内側に張り巡らせたシリコン製のＢＯＸを外すだけで  シリコン製の箱を洗う事になり  本体の取り外しの手間や  シンク内で洗うのも大きい本体のＢＯＸより数段、楽になり、自然掃除の回数も増え  冷蔵庫の過信が進むなか幼い子供がいる家庭は特に衛生上にも良いし、野菜クズなどの残り物の整理にもなり経済的にも良いと思います  又子育て中なにかと忙しく、ＢＯＸを取り外しての掃除は大変です  これらの２点の解決になると思います
【考案の効果】
取り外す必要がないので頻繁に掃除も出来、野菜や冷凍食品の整理も安易に出来  衛生上、経済的にも良いと思います
【図面の簡単な説明】
【図１】
0003202912.tif 000003
【図２】
0003202912.tif 000004
【実施例】赤い部分がシリコン製で  パラッと外せて洗ってから又ピタッとはめることが出来る。
【符号の説明】冷蔵庫  野菜室  冷凍庫  扉部分のポケット  ドリンク入れ部分  シリコン製  掃除  簡素化  取り外し  丸洗い
【図１】
0003202912.tif 000005
【図２】
0003202912.tif 000006
【手続補正書】
【提出日】平成27年12月10日(2015.12.10)
【手続補正１】
【補正対象書類名】実用新案登録請求の範囲
【補正対象項目名】全文
【補正方法】変更
【補正の内容】
【実用新案登録請求の範囲】
【請求項１】
冷蔵庫の野菜室や冷凍庫扉のドリンクポケットなどの冷蔵庫の全べての収納部分の内側に張り巡らした掃除用冷蔵庫内箱
【請求項２】
前記  請求項１に記載の内側に張り巡らした掃除用冷蔵庫内箱の素材は底の厚目のシリコン製であり取り外して洗って何度でも使えることが特徴とする掃除用冷蔵庫内箱
【手続補正２】
【補正対象書類名】明細書
【補正対象項目名】全文
【補正方法】変更
【補正の内容】
【考案の詳細な説明】
【技術分野】
【０００１】本考案は冷蔵庫の野菜室をはじめとして全べての冷蔵庫の収納部分の掃除の簡素化に関する
【背景技術】
【０００２】近年冷蔵庫が大型化し野菜室をはじめ収納部分の掃除をする時大きい野菜室のＢＯＸを取り外す事、その後のシンクの中で洗うのも大きく凄く掃除がしにくく、そこでシリコン製のそれぞれのＢＯＸ部分に合った底の厚目の内箱をＢＯＸ部分の内側を張り巡らすことにより今までより掃除が楽になり衛生上もこれで掃除回数が増えかなり向上する物
【考案の概要】
【考案が解決しようとする課題】
【０００３】冷蔵庫の野菜室をはじめ全べての収納部分の掃除が従来は大きいＢＯＸ部分を外して尚シンクの中で洗うのは大変です
扉の部分のポケットも大きくはありませんが外すのに割れそうで怖く結果掃除の回数が自然に減る事になり衛生上もよくありません
【課題を解決する為の手段】
【０００４】以上の課題を解決する為にそれぞれの型のＢＯＸの内側に底の厚目のシリコン製のうす目の箱を張り巡
0003202912.tif 000007
そのままにシリコン製の内箱を外して掃除をする事により本体のＢＯＸの取り外しの手間やシンク内で洗うのも大きい本体のＢＯＸよりやわらかいので数段楽になります
【考案の効果】
【０００５】高年齢者や子育て中の家庭では特に一週間の買い出しに冷蔵庫が大型化しつつある今、シリコン製にする事により取り外す必要もなくなり頻繁に掃除も出来、野菜や冷凍庫の食品の整理も安易に出来、衛生上、経済的にも良いと思います
【図面の簡単な説明】
【図１】一般的な冷蔵庫の図で▲１▼野菜室▲２▼冷凍庫▲３▼扉部分のポケット、ドリンク立ての部分の位置で内箱を装着する場所の説明図
【図２】新しい冷蔵庫の場合で野菜室などのＢＯＸ部分の内箱をシリコン製で外すとシリコンの底の部分が厚くなっている図
【図３】既に家庭にある冷蔵庫の場合で図２の形で微差の違いを▲４▼吸盤と▲５▼ジャバラ型式で微差の部分を解決する図
【実施例】
【０００７】赤い部分の内箱のシリコン製で汚れた時にめくってはずせて洗ってから又ピタッとはめ何回も続けて使う事が出来る
【符号の説明】
【０００８】１  野菜室
２  冷凍庫
３  扉部分のポケットドリンク立て
４  吸盤
５  ジャバラ形
【手続補正３】
【補正対象書類名】図面
【補正対象項目名】全図
【補正方法】変更
【補正の内容】
【図１】
0003202912.tif 000008
【図２】
0003202912.tif 000009
【図３】
0003202912.tif 000010
(57)【要約】【課題】  缶バッチを利用して、夜間・暗闇などの屋外において安全性を高めるために光がないところでは、蓄光が発光し居場所を知らせ、ヘッドライトなど光に対して反射することで視認性が上がる事により、自動車や自転車の運転手に気付いてもらい、接近、接触される危険を減らす安全商品の缶バッチを提供する。また、日常においても常に使用してもらえるように、デザイン性を持たせた安全商品の缶バッチを提供する。【解決手段】  缶バッチの表面上に再帰反射機能付き高輝度蓄光シート２対して、キャラクターなど印刷した上で、缶バッチに貼りその上からＰＥＴフィルム３をおき、上から圧力を掛けて挟み込む事で、再帰反射機能付き高輝度蓄光シート２の機能を損なう事もないことから、反射と蓄光の両方の機能を持たせた缶バッチが可能である。【選択図】図１
0003202918.tif 000002
【実用新案登録請求の範囲】
【請求項１】
缶バッチの表面上において、再帰反射と蓄光機能を備えたシート（２）を用いて、夜間、暗闇などの屋外において第三者からの視認性をあげる事を特徴とする缶バッチ構造。
【請求項２】
前記缶バッチにおいて、キャラクターなどデザイン性を備える事を特徴とする缶バッチ構造。
【考案の詳細な説明】
【技術分野】
【０００１】  本考案は再帰反射と蓄光機能を備えた缶バッチ構造に関し、反射蓄光機能を用いる事により、夜間、暗闇における歩行者などに対する視認性を向上させることが可能な缶バッチに関する構成に係わる。
【背景技術】
【０００２】  従来の缶パッチには反射は反射機能のみしかなく、蓄光は蓄光機能のみといった両方の機能を備えたものがなかった為、夜間・暗闇などの屋外の環境状態おいては、歩行者は自動車や自転車の運転手に気付かれず、接近、接触される危険があります。【０００３】  従って、このような危険を回避するために、反射シートや蓄光シートを目立つ場所に備えた器具や道具並びにベストなどが普及しているが、これからの物はシートなどが目立ち日常品とは言えず、常に身に着けていられるものではありません。また、機能としてそれぞれ別々な為に、反射シートと蓄光シートと２か所いる為にスペースを取ってしまっております。【０００４】  例えば、夜間など必要な時に反射材を露出させ不要な時には隠す衣類が提案されている（特許文献１）。【０００５】  また、様々な寸法の棒状物に合わせて、寸法を調整することが容易で、折りたたむことができ、夜間には他人からの視認性を上げることができるホルダーが提案されている（特許文献２）。
【先行技術文献】
【特許文献】
【０００６】
【特許文献１】実用新案登録３１９０４００号公報
【特許文献２】実用新案登録３１７２７６５号公報
【考案の概要】
【考案が解決しようとする課題】
【０００７】  しかしながら特許文献１の衣類では、その特殊な衣類を着用事で安全性を高める提案をされているのみで、既製品の衣類には対応していません。【０００８】  また、特許文献２のようなホルダーであれば、既製品に対して後から装着する事は可能ではありますが、必ず別にベルトを装着する必要がある為、装着できる箇所が限定されおり、利用者にとっては不便である。【０００９】  更に、特許文献２のようなペンライトや誘導棒・Ｔ型レンチなどといった特殊な用具を収納するホルダーになっているため、あまり一般の人には馴染みがない物となっている点や、利用する場所も限定されてしまい購買意欲を喚起するにいたらない。【００１０】  本考案は、缶バッチを利用する事で、安全性能とは別の目的である缶バッチの収集で楽しむ事もでき、かつ装着後は安全性を持ったアクセサリー的な要素でおしゃれなども楽しむこともできる缶バッチを提供することを目的とする。【００１１】  本考案によれば、本体自体は缶パッチであり、その表面上にキャラクターやデザインを印刷することにより、商品の付加価値を高め、購買意欲を喚起し、かつ近年消費が落ち込んでいる玩具並びにお土産品の販売を増進に適した拡販を資することでもある。
【課題を解決するための手段】
【００１２】  本考案の再帰反射と蓄光機能を備えた缶バッチ構造は、缶バッチにおいて、缶バッチの表面に印刷された反射機能と蓄光機能の両方の機能を備えたシートを貼った缶バッチ。
【考案の効果】
【００１３】  本考案の再帰反射と蓄光機能を備えた缶バッチ構造によれば、衣服・カバンに装着することで、夜間、暗闇などの屋外での光には反射し、暗闇には発光することで、他人からの視認性を上げる効果がある事から安全性が高まった。【００１４】  また、従来の安全グッズなどは、安全性を重視することからデザイン性が乏しいため、日常品とは言えず、常に身に着けていられるものではありませんでしたが、缶バッチにする事により、ファッションとして日常でも身に着ける事が出来るようになった。
【図面の簡単な説明】
【００１５】
【図１】  本願考案の帰反射と蓄光機能を備えた缶バッチ構造の断面図
【考案を実施するための形態】
【００１６】以下にその手順を説明するが、本考案を実施するにあたり、この説明・手順に限定されるものではない。
【００１７】  本考案の缶バッチは、図１に示されるように、再帰反射機能付き高輝度蓄光シート２対して、印刷しておく。
【００１８】  缶バッチ１の表面に再帰反射機能付き高輝度蓄光シート２を貼り、上からＰＥＴフィルム３をおき、上から圧力を掛けて挟み込み形成する。
【００１９】  本考案の缶バッチは図１に示されるように、ＰＥＴフィルム３は光などを遮ることなく再帰反射機能付き高輝度蓄光シート２に届く事で、光を蓄積し発光できる事と光を反射させる事が可能なことより、装着しておくだけで、夜間・暗闇などの屋外において他人からの視認性を上げる事ができる。
【産業上の利用可能性】
【００２０】  本考案は、装着しておくだけで、夜間・暗闇などの屋外において第三者からの視認性を上げる事ができる缶バッチに関するものである。さらに表面上にキャラクターなどデザインを印刷することにより、日常でもファッションの一部として常に装着しておけることで、安全性も高まる。【００２１】  また、表面上いろいろな印刷が可能な点で、お土産ショップやイベント会場、テーマパークといったところでも販売が可能な事で、所有される人も増え震災時の時の安全性もより高まる事から、いろいろなケースで活躍できるようになった。
【符号の説明】
【００２２】１・・・・・・・缶バッチ
２・・・・・・・再帰反射機能付き高輝度蓄光シート
３・・・・・・・ＰＥＴフィルム
【図１】
0003202918.tif 000003
(57)【要約】      （修正有）【課題】強地震でも倒壊する確率が少なく、撤去運搬が容易なステンレス墓標を提供する。【解決手段】ステンレスパイプ２本に４ヵ所の標板取付用金具を溶接し、標板をボルト、ナットにて緊結する。特殊ボルト、ナットを使用し簡単に外れないようにして盗難防止とする。【選択図】図１
0003202917.tif 000002
【実用新案登録請求の範囲】
【請求項１】
ステンレスパイプ２本に４ヵ所金具を取り付けし、ステンレス板をボールト、ナットで緊結する。
【考案の詳細な説明】
【技術分野】
【０００１】本考案は、ステンレスパイプ、ステンレス板で作製し現地で組み立てる。
【考案の概要】
【考案が解決しようとする課題】
【０００２】従来の石碑は重量が大で、運搬、建設（地盤改良が必要）費用が場所により大変高価になることがあり、強い地震時に倒壊現象が生じる。
諸般の事情により廃墓地等が生じた時、撤去運搬処分（産業廃棄物指定）に多額の費用が掛かる。
前述の不安、欠点を解決しようとするものである。
【課題を解決するための手段】
【０００３】本考案は、ステンレスパイプ、ステンレス板にて問題解決している。
【考案の効果】
【０００４】上述の様にステンレスパイプ、ステンレス板にて建立すると、強地震で倒壊する確率が大変少なくなる。建設、撤去に日時がかからない。
建立場所にもよるが、耐用年数は約１００年あると考えられる。
処分については少量のコンクリート（産業廃棄物対象）になり、又ステンレスパイプ、ステンレス板は有価材となり返金となる。
従って、建設、撤去処分費は大変安価でできる。
従来の墓石と違い、軽量感、スッキリ感があり、ご子孫の愛着が得られると考える。
【図面の簡単な説明】
【０００５】
【図１】  本考案墓標実施例を示す代表図である。
【図２】  本考案墓標実施例を示す平面図である。
【図３】  本考案墓標実施例を示す正面図である。
【図４】  本考案墓標実施例を示す裏面図である。
【図５】  本考案墓標実施例を示す右側面図である。
【図６】  本考案墓標実施例を示す左側面図である。
【図７】  本考案墓標実施例を示す骨壺平面図である。
【図８】  本考案墓標実施例を示す骨壺側面図である。
【図１】
0003202917.tif 000003
【図２】
0003202917.tif 000004
【図３】
0003202917.tif 000005
【図４】
0003202917.tif 000006
【図５】
0003202917.tif 000007
【図６】
0003202917.tif 000008
【図７】
0003202917.tif 000009
【図８】
0003202917.tif 000010
【手続補正書】
【提出日】平成27年12月9日(2015.12.9)
【手続補正１】
【補正対象書類名】実用新案登録請求の範囲
【補正対象項目名】全文
【補正方法】変更
【補正の内容】
【実用新案登録請求の範囲】
【請求項１】
ステンレスパイプ２本に４ヶ所金具を取り付けし、ステンレス板をボールト、ナットで緊結することを特徴とするステンレス墓標。
(57)【要約】      （修正有）【課題】暴れまくる犯人を威圧出来、自分自身の安全と他人の安全を守るための万能犯人捕らえ具を提供する。【解決手段】支持棒と、支持棒の一端部に取り付けられたリング状の架台と、架台の外周部に取り付けられた袋を備え、架台の内周部にはヒモが複数のヒモ止めによって架台内周に沿って保持されるとともに、支持棒に取り付けられたガイドによって保持され、ガイドには逆転防止付き回転ギヤが取り付けられ、この回転ギヤと噛合するラックギヤをヒモの中間部に設け、更に架台には、半円弧状の足引っ掛けを取り付けた。支持棒に取り付けた、トンボ取り器のような袋を犯人の顔、頭全体に被せことにより、犯人の動きを制圧する、又は足を引っ掛けたり、足、腹、首の急所を突き制することにより犯人を取り押さえる。【選択図】図１
0003202976.tif 000002
【実用新案登録請求の範囲】
【請求項１】
支持棒と、支持棒の一端部に取り付けられたリング状の架台と、架台の外周部に取り付けられた袋を備え、架台の内周部にはヒモが複数のヒモ止めによって架台内周に沿って保持されるとともに、支持棒に取り付けられたガイドによって保持され、ガイドには逆転防止付き回転ギヤが取り付けられ、この回転ギヤと噛合するラックギヤをヒモの中間部に設け、更に架台には、半円弧状の足引っ掛けを取り付けたたことを特徴とする万能犯人捕え具。
【考案の詳細な説明】
【技術分野】
【０００１】
本考案は、窃盗に入った犯人を取り押さえたり、ナイフを持って振り回して、暴れている者を取り押さえのに使用する器具、万能犯人捕え具を提供する。
【背景技術】
【０００２】
棒を使って応戦したり、棒の先がカギ型になっていて足を引っかけて倒したり、投網のような物で取り押さえたり、種々多々ある。
【先行技術文献】
【特許文献】
【０００３】
【特許文献１】特開２０１０−９１１５４
【考案の概要】
【考案が解決しようとする課題】
【０００４】
凶器を持った犯人に、棒とか、少々の仕掛けをしたものでは対抗できない。
【課題を解決するための手段】
【０００５】
支持棒と、支持棒の一端部に取り付けられたリング状の架台と、架台の外周部に取り付けられた袋を備え、架台の内周部にはヒモが複数のヒモ止めによって架台内周に沿って保持されるとともに、支持棒に取り付けられたガイドによって保持され、ガイドには逆転防止付き回転ギヤが取り付けられ、この回転ギヤと噛合するラックギヤをヒモの中間部に設け、更に架台には、半円弧状の足引っ掛けを取り付けたたことを特徴とする万能犯人捕え具。
【考案の効果】
【０００６】
万能犯人捕え具には、次のような効果がある。
（１）  犯人の視覚を奪うことにより自由にさせない。
（２）  犯人の首をある程度締め付けることにより暴れることを制限出来る。
（３）  犯人の足を引っかけ体勢を崩すことが出来る。
（４）  犯人の足の脛、腹、手、首等の急所を攻撃出来る。
（５）  誰でも簡単に犯人に立ち向かうことが出来る。
【図面の簡単な説明】
【０００７】
【図１】この考案の万能犯人捕え具の透視図
【図２】この考案の万能犯人捕え具の支持棒とリングの平面図
【図３】この考案の万能犯人捕え具のリングの平面図
【図４】この考案の万能犯人捕え具の架台の平面図と側面図と側面図のＣ部詳細図
【図５】この考案の万能犯人捕え具のジャバラ袋の透視図
【図６】この考案の万能犯人捕え具についてヒモのヒモ止めの開閉時のヒモの輪部分の平面図と平面図Ａ部及びＢ部の詳細図
【考案を実施するための形態】
【０００８】
本考案の万能犯人捕え具は、図１の手で握り絞める支持棒１、その支持棒にはガイド５と案内金具６が取り付けられ、ガイド５には回転ギヤ５ａと逆転防止爪５ｂがとりつけられている。
支持棒１の先端部にはリング２が、ネジ２ａにより取り付けられ、図3に示すリング２には足引っ掛け２ｃが溶接かボルト止めにより取り付けられ、又図4に示す架台３が架台取り付け穴２ｂのネジにより取り付けられ架台３には図5に示すジャバラ袋４を袋止め穴４ａを図4に示す架台３の袋止め３ａに引っかけ、バンド８によりジャバラ袋４を取り付ける。更に架台３には図４に示す如くヒモ７の先端を取り付けるヒモ掛け３ｄと、ヒモ７を通すヒモ通し穴３ｅが設けられている。
図6に示すヒモ７の先端部はヒモ先端止め７ａがあり、図4に示す架台３の内側にはヒモ掛け３ｄがあり、このヒモ掛け３ｄにヒモ止め７ａを引っかけ図4に示す架台３のヒモ通しのヒモ止め3ｂにてヒモ７を図６のＡ部詳細のように図4に示すヒモ止め３ｂの磁石３ｃにてヒモ７を内側に囲むように取り付ける。
ヒモ７には図1に示すガイド５の回転ギヤ５ａとかみ合いながらスムーズに動くピニオンギヤ８が取り付けられている。ピニオンギヤ８には、図６Ｂ部詳細に示すヒモ７の輪Ａ２より小さくならないように、又ヒモ７をそれ以上手前側に引っ張ることが出来ない為のストッパー８ａが取り付けられている。
尚磁石３ｃは面ファスナーの様なものでも良い。又ジャバラ袋４はジャバラ式でなくてもよいし、ヒモ７も麻でなくワイヤか樹脂性でもよい。及び支持棒１は、釣竿の様に伸縮するもので作ってもよい。
【実施例】
【０００９】
本考案の万能犯人捕え具は、コンビニの窃盗防止、警備会社の護衛、、警察の犯人取り押さえ、小学校には、変質者侵入護衛のため、個人宅では護衛のため常備する等、色々な面で使用可能である。
第１の使用方法は、支持棒１の下部を両手で握り、リング２を下側、ジャバラ袋４を上側にして構え犯人の頭上目がけ、上から下に、トンボ取り器の使用方法と同じ要領で振り下ろす。犯人の頭全体に袋を被せたと同時にヒモ７を手前に手で引くと、ヒモ７に取り付けたラックギヤ８と支持棒に取り付けたガイド５の回転ギヤ５ｂがかみ合って移動することによりヒモの輪が図６に示す如くＡ１（輪大）がＡ２（輪小）になり犯人の首を絞めつける様になる。ヒモを引っ張った後は逆転防止５ｂにより戻らない構造となっており又ストッパー８ａからもそれある程度以上は引っ張ることが出来ないようにもなっている。
第２の使用方法は、リング２に取り付けた足引っ掛け２ｃを活用する方法である。犯人が凶器を持って突然襲って来た時、又身構えがすばしこい場合など第１の使用方法では、間に合わないとか、うまく袋を犯人の頭に被せることが出来ない時に遭遇することも在り得る。その時は、足引っ掛け２ｃにて、犯人の足を足引っ掛け２ｃの湾曲部内側に引っかけて犯人の体勢を崩したり、湾曲部外側で、犯人の足の脛骨、腹、首、などの急所を目がけて棒を突くようにし犯人にダメージを与えることにより、第１の使用方法を取り入れ易くし捕える。
【符号の説明】
【００１０】
１  支持棒
２  リング
２ａ  ネジ
２ｂ  架台取り付け穴
２ｃ  足引っ掛け
３  架台
３ａ  袋止め
３ｂ  ヒモ止め
３ｃ  磁石
３ｄ  ヒモ掛け
３ｅ  ヒモ通し穴
４  ジャバラ袋
４ａ  袋止め穴
５  ガイド大  
５ａ  回転ギヤ
５ｂ  逆転防止
６  ガイド小
７  ヒモ
７ａ  ヒモ止め輪
８  ラックギヤ
８ａ  ストッパー
【図１】
0003202976.tif 000003
【図２】
0003202976.tif 000004
【図３】
0003202976.tif 000005
【図４】
0003202976.tif 000006
【図５】
0003202976.tif 000007
【図６】
0003202976.tif 000008
(57)【要約】      （修正有）【課題】暴れまくる犯人を威圧出来、自分自身の安全と他人の安全を守るための万能犯人逮捕具を提供する。【解決手段】支持棒と、支持棒の一端部に足引っ掛けと足捕えを組み合わせたものを取り付け、足引っ掛け中間部と足捕え端部をバネにて保持し、足捕えの端部にはヒモを固定し、ヒモの中間部に取り付けたラックギヤが支持棒の中間部に設けたガイドに取り付けた逆転防止付き回転ギヤと噛合する。支持棒に取り付けた足引っかけの手錠の様な輪を犯人の足・手・首に掛けることにより制圧し取り押さえる。【選択図】図１
0003202977.tif 000002
【実用新案登録請求の範囲】
【請求項１】
支持棒と、支持棒の一端部に足引っ掛けと足捕えを組み合わせたものを取り付け、足引っ掛け中間部と足捕え端部をバネにて保持し、足捕えの端部にはヒモを固定し、ヒモの中間部に取り付けたラックギヤが支持棒の中間部に設けたガイドに取り付けた逆転防止付き回転ギヤと噛合することを特徴とする万能犯人逮捕具。
【考案の詳細な説明】
【技術分野】
【０００１】
本考案は、窃盗に入った犯人を取り押さえたり、ナイフを持って振り回して、暴れている者を取り押さえのに使用する器具、万能犯人逮捕具を提供する。
【背景技術】
【０００２】
棒を使って応戦したり、棒の先がカギ型になっていて足を引っかけて倒したり、自動投網のような物で取り押さえたり、種々多々ある。
【先行技術文献】
【特許文献】
【０００３】
【特許文献１】特開２００５−４２９９７
【考案の概要】
【考案が解決しようとする課題】
【０００４】
凶器を持った犯人に、棒とか、少々の仕掛けをしたものでは対抗できない。
【課題を解決するための手段】
【０００５】
支持棒と、支持棒の一端部に足引っ掛けと足捕えを組み合わせたものを取り付け、足引っ掛け中間部と足捕え端部をバネにて保持し、足捕えの端部にはヒモを固定し、ヒモの中間部に取り付けたラックギヤが支持棒の中間部に設けたガイドに取り付けた逆転防止付き回転ギヤと噛合することを特徴とする万能犯人逮捕具。
【考案の効果】
【０００６】
万能犯人捕え具には、次のような効果がある。
（１）  犯人の足の自由を奪うことにより観念させる。
（２）  犯人の手の自由を奪うことにより観念させる。
（３）  犯人の首を押えることにより観念させる。
（４）  車でも、バイクでも逃走出来ないこととなる。
（５）  簡単に犯人に立ち向かうことが出来る。
【図面の簡単な説明】
【０００７】
【図１】この考案の万能犯人逮捕具の正面図
【図２】この考案の万能犯人逮捕具足引っかけの正面図
【図３】この考案の万能犯人逮捕具足捕えの動きの方法を示す正面図
【図４】この考案の万能犯人逮捕具、犯人の足・首・手を捕えた状態を示す図
【考案を実施するための形態】
【０００８】
本考案の万能犯人逮捕具は、図１に示す手で握り絞める支持棒１には、ガイド４と図２に示すヒモガイド９及び図１に示す出口ガイド１０がとりつけられ、図１に示すガイド４には回転ギヤ５と逆転防止爪６が取り付けられ、支持棒１の先端部には図２に示す足引っかけ２が図１に示す取付ピン１４により取り付けられ、足引っ掛け２は図２に示すヒモガイド９とバネ止め１１ａ及び支柱ピン１２を取り付ける支柱ピン取付穴２ｂ、ピン取付穴２ａからなり、図１に示す支柱ピン１２により、足捕え３が取り付けられる。
又足捕え３は溝３ａが有りその溝の中をスライドするバネ止め１１ｂが取り付けられ、ヒモ７の先端を止めるヒモ止め穴１３がある。足捕え３の作動する方法は図３に示すヒモ７を手前に引っ張ることにより支柱ピン１２を支点にバネ１１が伸びると共にバネ止め１１ｂが溝３ａをスライドさせかながらバネ１１が伸びきり、同時に足捕え３が図３に示す如くＡの範囲で回転し、Ｂの範囲で図４のように足・手・首を捕える。Ａの範囲とＢの範囲が相互に自由に取れることより足、手、首を捕えることが出来る。
ヒモ７は先端に足捕え３にあるヒモ止め穴１３に固定し、図１に示す通り足引っ掛け２に取り付けられたヒモガイド９の中を通し、ヒモ７の中間部に取り付けたラックギヤ８と支持棒１に取り付けられたガイド５に取り付けられた回転ギヤ５と噛合し支持棒１に取り付けられた出口ガイド１０の中を通したである。
尚足引っ掛け２は湾曲部の内側で手及び首も引っかけたり、湾曲部外側で足の脛、腹、等急所を突いて捕えるものであり色々用途の広い特徴ある万能犯人逮捕具である。
【実施例】
【０００９】
本考案の万能犯人逮捕具は、コンビニの窃盗防止、警備会社の護衛、、警察の犯人取り押さえ、小学校には、変質者侵入護衛のため、個人宅では護衛のため常備する等、色々な面で使用可能である。
使用方法は、支持棒１の下部を両手で握り、足引っかけ２を犯人の足・手・首に引っかけ、ヒモを手前に引っ張って、足捕え３を図３のＡの範囲で作動させて捕え、又足、腹、首など、棒を突くようにし、犯人にダメージ与えたりし、犯人を捕える。
【符号の説明】
【００１０】
１  支持棒
２  足引っかけ
２ａ  ピン取付穴
２ｂ  支柱ピン取付穴
３  足捕え
３ａ  溝
４  ガイド
５  回転ギヤ
６  逆転防止爪
７  ヒモ
８  ラックギヤ
９  ヒモガイド
１０  出口ガイド
１１  バネ
１１ａ  バネ止め
１１ｂ  バネ止め
１２  支柱ピン
１３  ヒモ止め穴
１４  取り付けピン
【図１】
0003202977.tif 000003
【図２】
0003202977.tif 000004
【図３】
0003202977.tif 000005
【図４】
0003202977.tif 000006